(57)【特許請求の範囲】
【請求項１】
電源に並列に接続された平滑コンデンサと、前記電源の正極に接続されたチョークコイルと、前記チョークコイルの逆端と前記電源の負極に接続されたスイッチング素子と、前記スイッチング素子に並列に接続され電流がスイッチング素子と逆方向に流れる場合に電流を環流するダイオードと、前記スイッチング素子に並列に配置され互いに直列に接続された加熱コイルと共振コンデンサからなる高周波インバータと、前記スイッチング素子を制御する制御手段を備え、アルミ鍋やアルミ材質が鍋底部の厚みの内多くの成分をしめる多層鍋を加熱する際に、前記スイッチング素子の駆動周波数に比べて、前記スイッチング素子がオン状態の時に前記加熱コイルと前記共振コンデンサで発生する共振電流の周波数が２倍以上高くなるべく、鍋と結合した加熱コイルのインダクタンスと共振コンデンサの容量を定めて２波形以上の共振電流が１回のスイッチング動作で流れる誘導加熱調理器。
【請求項２】
アルミ鍋やアルミ材質が鍋底部の厚みの内多くの成分をしめる多層鍋を加熱する際に、鍋と結合した加熱コイルのインダクタンスと共振コンデンサの容量で決まる共振電流周波数を１００ｋＨｚ以上とする請求項１に記載の誘導加熱調理器。
【請求項３】
アルミ鍋やアルミ材質が鍋底部の厚みの内多くの成分をしめる多層鍋を加熱する際に、共振電流が正から負に移り変わった瞬間の零電流を検知する零電流検知手段と零電流通過の回数をカウントするカウンターを備え、あらかじめ定められた回数の零電流時にスイッチング素子をオフする請求項１または２に記載の誘導加熱調理器。
【請求項４】
アルミ鍋やアルミ材質が鍋底部の厚みの内多くの成分をしめる多層鍋を加熱する際に、入力電力の制御をスイッチング素子のオフ時間で行う請求項１または２に記載の誘導加熱調理器。
【請求項５】
アルミ鍋やアルミ材質が鍋底部の厚みの内多くの成分をしめる多層鍋を加熱する際に、共振電流の零電流を通過する回数を変えることにより、入力電力を制御する請求項３に記載の誘導加熱調理器。
【請求項６】
アルミ鍋やアルミ材質が鍋底部の厚みの内多くの成分をしめる多層鍋を加熱する際に、スイッチング素子の駆動周波数を一定とする請求項５に記載の誘導加熱調理器。
【請求項７】
鍋の種類を検知する鍋判別手段と、複数の共振コンデンサと、前記共振コンデンサを切り替える切り替え手段を有し、前記鍋判別手段により判別された鍋が磁性ステンレスや鉄の場合は共振コンデンサの値は大きくし、前記鍋判別手段により判別された鍋がアルミの場合は共振コンデンサの値は小さくするように共振コンデンサを切り替え共振電流の周波数を変化させる請求項１から６のいずれか一項に記載の誘導加熱調理器。
【発明の詳細な説明】
【０００１】
【発明の属する技術分野】
本発明は、高周波磁界による誘導加熱を利用して調理を行う誘導加熱調理器に関するものである。
【０００２】
【従来の技術】
以下、従来の誘導加熱調理器について図面を参照しながら説明する。図１３は従来から使用されている誘導加熱調理器の一例の構成を示すブロック図である。
【０００３】
電源１は商用電源を整流した直流電源であり、商用周波数の２倍の脈流または平滑された電圧である。電源１は平滑コンデンサ２及びチョークコイル３に接続され、スイッチング素子４のスイッチング動作に従い高周波電力を加熱コイル６に供給することになる。加熱コイル６に供給された高周波電力は高周波磁界として鍋８に供給され、この高周波磁界により発生する渦電流により鍋自体が発熱することになる。ここで鍋８は通常磁性ステンレスや鉄などの固有抵抗が大きい材質でできており、アルミ鍋などは加熱できないものとして通常除外される。ここで、加熱コイル６の電流は、スイッチング素子４がオン状態の時に鍋８と磁気結合している加熱コイル６と共振コンデンサ７で決まる共振電流であり、制御手段１５が共振電流が再び零電流になるまで、つまりダイオード５に電流が流れるまで供給されることになる。制御手段１５は、設定された入力電力に従い決められるオフ時間だけスイッチング素子４をオフさせた後、再びスイッチング素子４をオンさせることになる。
【０００４】
図１２にスイッチング素子４の動作時の波形を示す。スイッチング素子４のゲートＶＧＥはオン動作に入ると共振電流Ｉｃが再び零となり、ダイオード５に電流が流れるまでオン状態を維持する。またスイッチング素子４がオフすると、スイッチング素子４の両端に共振電圧Ｖｃｅが発生するが、所定のオフ時間が経過した段階で再びオン状態に突入する。
【０００５】
【発明が解決しようとする課題】
このような従来の誘導加熱調理器においては、アルミ鍋やアルミ材質が鍋底部の厚みの内多くの成分をしめる多層鍋などは、鍋自体の固有抵抗が低いために加熱が困難であった。
【０００６】
また、アルミ鍋を誘導加熱する方法として有効な第１の方法は、加熱コイルのアンペアターンを大きくする、つまり加熱コイルの巻き数を多くする方法であり、第２の方法としては、加熱周波数を更に高周波化する方法である。しかし、加熱コイルの巻き数を大きくした場合には調理器が大きくなること、更に高周波化した場合にはスイッチング素子の損失が増大し、スイッチング素子の冷却が困難になるなどの二次的な課題が生じるものである。
【０００７】
本発明は上記の課題を解決するもので、アルミ鍋及び多層鍋を加熱できる誘導加熱調理器を提供することを目的としている。
【０００８】
【課題を解決するための手段】
上記課題を解決するために本発明は、電源に並列に接続された平滑コンデンサと、前記電源の正極に接続されたチョークコイルと、前記チョークコイルの逆端と前記電源の負極に接続されたスイッチング素子と、前記スイッチング素子に並列に接続され電流がスイッチング素子と逆方向に流れる場合に電流を環流するダイオードと、前記スイッチング素子に並列に配置され互いに直列に接続された加熱コイルと共振コンデンサからなる高周波インバータと、前記スイッチング素子を制御する制御手段を備え、アルミ鍋やアルミ材質が鍋底部の厚みの内多くの成分をしめる多層鍋を加熱する際に、前記スイッチング素子の駆動周波数に比べて、前記スイッチング素子がオン状態の時に前記加熱コイルと前記共振コンデンサで発生する共振電流の周波数が２倍以上高くなるべく、鍋と結合した加熱コイルのインダクタンスと共振コンデンサの容量を定めて２波形以上の共振電流が１回のスイッチング動作で流れる誘導加熱調理器である。
【０００９】
これにより、スイッチング素子のスイッチング損失を増加させずに高周波電力を鍋に供給することが可能になり、アルミ鍋や多層鍋の加熱が可能な誘導加熱調理器を実現できるものである。
【００１０】
【発明の実施の形態】
請求項１に係わる本発明は、電源に並列に接続された平滑コンデンサと、前記電源の正極に接続されたチョークコイルと、前記チョークコイルの逆端と前記電源の負極に接続されたスイッチング素子と、前記スイッチング素子に並列に接続され電流がスイッチング素子と逆方向に流れる場合に電流を環流するダイオードと、前記スイッチング素子に並列に配置され互いに直列に接続された加熱コイルと共振コンデンサからなる高周波インバータと、前記スイッチング素子を制御する制御手段を備え、アルミ鍋やアルミ材質が鍋底部の厚みの内多くの成分をしめる多層鍋を加熱する際に、前記スイッチング素子の駆動周波数に比べて、前記スイッチング素子がオン状態の時に前記加熱コイルと前記共振コンデンサで発生する共振電流の周波数が２倍以上高くなるべく、鍋と結合した加熱コイルのインダクタンスと共振コンデンサの容量を定めて２波形以上の共振電流が１回のスイッチング動作で流れる誘導加熱調理器である。
【００１１】
これにより、スイッチング素子のスイッチング損失を増加させずに高周波電力を鍋に供給することが可能になり、アルミ鍋や多層鍋の加熱が可能な誘導加熱調理器を実現できるものである。
【００１２】
請求項２に係わる本発明は、アルミ鍋やアルミ材質が鍋底部の厚みの内多くの成分をしめる多層鍋を加熱する際に、鍋と結合した加熱コイルのインダクタンスと共振コンデンサの容量で決まる共振電流周波数を１００ｋＨｚ以上とする請求項１に記載の誘導加熱調理器である。
【００１３】
これにより、アルミ鍋などの重量が軽い場合でも鍋浮きが生じにくくなり、安全性の高い誘導加熱調理器を実現できるものである。
【００１４】
請求項３に係わる本発明は、アルミ鍋やアルミ材質が鍋底部の厚みの内多くの成分をしめる多層鍋を加熱する際に、共振電流が正から負に移り変わった瞬間の零電流を検知する零電流検知手段と零電流通過の回数をカウントするカウンターを備え、あらかじめ定められた回数の零電流時にスイッチング素子をオフする請求項１または２に記載の誘導加熱調理器である。
【００１５】
これにより、確実に必要な共振電流の個数でしかも零電流でのスイッチング動作が可能になり、スイッチング損失の少ない信頼性の高い誘導加熱調理器を実現できるものである。
【００１６】
請求項４に係わる本発明は、アルミ鍋やアルミ材質が鍋底部の厚みの内多くの成分をしめる多層鍋を加熱する際に、入力電力の制御をスイッチング素子のオフ時間で行う請求項１または２に記載の誘導加熱調理器である。
【００１７】
これにより、共振電流の個数を維持したままパワー調整が可能となり、制御性に優れた誘導加熱調理器を実現できるものである。
【００１８】
請求項５に係わる本発明は、アルミ鍋やアルミ材質が鍋底部の厚みの内多くの成分をしめる多層鍋を加熱する際に、共振電流の零電流を通過する回数を変えることにより、入力電力を制御する請求項３に記載の誘導加熱調理器である。
【００１９】
これにより、パワー調整の範囲が広くなり、制御性の優れた誘導加熱調理器を実現できるものである。
【００２０】
請求項６に係わる本発明は、アルミ鍋やアルミ材質が鍋底部の厚みの内多くの成分をしめる多層鍋を加熱する際に、スイッチング素子の駆動周波数を一定とする請求項５に記載の誘導加熱調理器である。
【００２１】
これにより、一定周波数でのパワー調整が可能になり、隣り合った誘導加熱調理器の駆動周波数の違いによる干渉音の発生を抑えることが可能になり、騒音の少ない誘導加熱調理器を実現できるものである一定周波数でのパワー調整が可能になり、隣り合った誘導加熱調理器の駆動周波数の違いによる干渉音の発生を抑えることが可能になり、騒音の少ない誘導加熱調理器を実現できるものである。
【００２２】
請求項７に係わる本発明は、鍋の種類を検知する鍋判別手段と、複数の共振コンデンサと、前記共振コンデンサを切り替える切り替え手段を有し、前記鍋判別手段により判別された鍋が磁性ステンレスや鉄の場合は共振コンデンサの値は大きくし、前記鍋判別手段により判別された鍋がアルミの場合は共振コンデンサの値は小さくするように共振コンデンサを切り替え共振電流の周波数を変化させる請求項１から６のいずれか一項に記載の誘導加熱調理器である。
【００２３】
これにより、一種類の加熱コイルで様々な鍋を有効に加熱することが可能になり、従来のアルミ鍋加熱兼用の誘導加熱調理器に比べ小型の誘導加熱調理器を提供できるものである。
【００２４】
【実施例】
（実施例１）
本発明の第１の実施例について図面を参照しながら説明する。本実施例は請求項１に係わる。
【００２５】
図１は本実施例の誘導加熱調理器の回路構成を示す図である。本実施例が従来例と異なるのはスイッチング素子４を制御している制御手段９の制御方法が異なる点である。電源１は商用電源を整流したものであり、非平滑で用いることや電解コンデンサなどで平滑した形で用いることがある。平滑コンデンサ２は電源１と並列に接続され、高周波電流を供給する供給源として働く。チョークコイル３は電源１の正極に接続されスイッチング素子４がターンオフ時に零電流スイッチングを行うことに使用されている。また、スイッチング素子４にはダイオード５が並列に接続されており、電流がスイッチング素子４と逆方向に流れる場合に電流を環流するために用いられる。スイッチング素子４はオン状態の時に加熱コイル６と共振コンデンサ７の共振周波数で共振する共振電流を発生させ、鍋８に高周波磁界を供給する。制御手段９は、マイクロコンピュータなどを用いて入力電力に応じた制御をスイッチング素子４に行わせている。ここで、スイッチング素子４の駆動はスイッチング損失などを考慮して通常２０〜３０ｋＨｚで行われてる。これに対して鍋８と結合した加熱コイル６のインダクタンスと共振コンデンサの容量で決まる共振周波数を、スイッチング素子４の動作周波数の２倍以上、すなわち２波形以上の共振電流が一回のスイッチング動作で流れるような定数としている。これは、アルミ鍋などの加熱を行う場合に鍋の表皮抵抗が周波数の平方根に比例する特徴を用いて発熱を起こすことを目的としているものであり、表皮抵抗を上昇させかつスイッチング損失を増加させないものである。また、この方式を用いることで、通常行われるアンペアターンすなわち加熱コイルの径を大きくすることで、鍋に入る磁束を増やし、加熱を行う方式で問題となる加熱コイル径の増大を抑えることも可能になる。
【００２６】
上記構成における動作について説明する。図２は本実施例における各部波形を示す図である。波形（ａ）はスイッチング素子４及びダイオード５に流れる電流波形Ｉｃを示し、波形（ｂ）はスイッチング素子４のコレクタ−エミッタ間に生じる電圧Ｖｃｅを示し、波形（ｃ）は加熱コイル６に流れる電流ＩＬを示し、波形（ｄ）は制御手段９からスイッチング素子４に与えられる駆動波形ＶＧＥを示している。制御手段９によりスイッチング素子４にゲート信号が与えられるとスイッチング素子４はオン状態となる。この時スイッチング素子４には加熱コイル６と共振コンデンサ７で生じた共振電流が流れることになる。ここで、共振電流の周波数は駆動周波数より２倍以上高いため、共振電流はやがて零になり、今度はダイオード５を通して電流は先ほどと逆方向に流れることになる。この間加熱コイル６には共振電流が流れ続けるため、鍋８には共振周波数で決まる高周波磁界が供給されることになる。つまり、通常の２倍以上の周波数で駆動している状態と同様な効果が得られることになる。この後、必要なパワーを供給した後、ダイオード５に電流が流れているタイミングでスイッチング素子４をオフし、一定周期後再びオン状態に移り、これを繰り返すことになる。
【００２７】
以上のように本実施例によれば、スイッチング素子４のスイッチング損失を増加させずに高周波電力を鍋８に供給することが可能になり、アルミ鍋や多層鍋の加熱が可能な誘導加熱調理器を実現できるものである。
【００２８】
（実施例２）
本発明の第２の実施例について図面を参照しながら説明する。本実施例は請求項２に係わる。
【００２９】
図３は本実施例の動作を示す波形図である。本実施例の全体構成は実施例１と同様な構成を取るため省略する。
【００３０】
上記構成における動作について説明する。本実施例では加熱コイル６と共振コンデンサ７で決まる共振電流の周波数を１００ｋＨｚ以上に設定している。ここで、アルミ鍋などの加熱を行う際、鍋で生じる逆位相の磁界と加熱コイル６からの磁界から反発力が生じこれに鍋自体の軽さの要素が加わって起こる現象であり、図４に示すように加熱コイル６へ供給される高周波磁界の周波数を上げるに従って、浮力が減少する性質がある。ここで、共振電流の共振周波数を１００ｋＨｚ以上に設定することにより、鍋浮きの問題を解決するものである。
【００３１】
以上のように本実施例によれば、アルミ鍋などの重量が軽い場合でも鍋浮きが生じにくくなり、安全性の高い誘導加熱調理器を実現できるものである。
【００３２】
（実施例３）
本発明の第３の実施例について図面を参照しながら説明する。本実施例は請求項３に係わる。
【００３３】
図５は本実施例の回路構成を示す図である。本実施例で用いる回路構成が実施例１と異なる点はスイッチング素子４のターンオフのタイミングを検出するため、スイッチング素子４の零電流を検出する零電流検知手段１０と共振電流の回数をカウントするカウンター１１に従い、制御手段９がスイッチング素子４を制御していることである。
【００３４】
上記構成における動作について説明する。零電流検知手段１０はカレントトランスなどの電流検知手段とフリップフロップなどからなり、電流が正から負に移り変わった瞬間を検知してカウンター１１及びＡＮＤ回路などの論理回路に出力される。カウンター１１では、あらかじめ設定された共振電流の個数に達するまでカウントを行い、設定値に達した段階で出力を行う。制御手段９はカウンター１１からの出力と零電流検知手段１０からの出力を受け、スイッチング素子４をオフさせに行く。
【００３５】
以上の様に本実施例によれば、確実に必要な共振電流の個数でしかも零電流でのスイッチング動作が可能になり、スイッチング損失の少ない信頼性の高い誘導加熱調理器を実現できるものである。
【００３６】
（実施例４）
本発明の第４の実施例について図面を参照しながら説明する。本実施例は請求項１に係わる。
【００３７】
図６は本実施例の動作を示す波形図である。本実施例の全体構成は実施例１と同様な構成を取るため省略する。
【００３８】
上記構成における動作を説明する。本実施例ではオフ時間には加熱コイル６への高周波電流の供給が止まるすなわち、パワーが入らないことを利用してオフ時間の長さでパワー調整を行う方式としている。この方式を用いることにより、オン時間がほぼ一定の制御を行うことが可能となり、共振電流の個数を数えることなしに、零電流検知だけでもパワー調整を行うことが可能となる。本実施例の方式ではオフ時間が短いすなわち周波数が高いほど入力電力は大きくなる。
【００３９】
以上の様に本実施例によれば、共振電流の個数を維持したままパワー調整が可能となり、制御性に優れた誘導加熱調理器を実現できるものである。
【００４０】
（実施例５）
本発明の第５の実施例について図面を参照しながら説明する。本実施例は請求項５に係わる。
【００４１】
図７は本実施例の動作を示す波形図である。本実施例の全体構成は実施例５と同様な構成を取るため省略する。
【００４２】
上記動作における動作を説明する。本実施例では、共振電流の数を制御することで、入力電力を制御する方式としている。この方式では、共振電流の数が小さいことすなわち周波数が低い程入力電力は大きくなることになる。また、この方式はフルパワーでの共振電流の数が多いほど制御性が良くなるため、共振電流が１００ｋＨｚを越えるような場合に有効な制御方式である。
【００４３】
以上の様に本実施例によれば、パワー調整の範囲が広くなり、制御性の優れた誘導加熱調理器を実現できるものである。
【００４４】
（実施例６）
本発明の第６の実施例について図面を参照しながら説明する。本実施例は請求項６に係わる。
【００４５】
図８は本実施例の動作を示す波形図である。本実施例の全体構成は実施例６と同様な構成を取るため省略する。
【００４６】
上記動作における動作を説明する。本実施例では共振電流の数を制御すると共にオフ時間も変えることで、駆動周波数を一定にする方式としている。この方式では、共振電流の数でオフ時間も決まってしまうことから、制御性に劣るものの、駆動周波数が一定となるため、バーナが２つある場合などに生じる鍋同士の干渉音などを防止することが可能になる。
【００４７】
以上の様に本実施例によれば、一定周波数でのパワー調整が可能になり、隣り合った誘導加熱調理器の駆動周波数の違いによる干渉音の発生を抑えることが可能になり、騒音の少ない誘導加熱調理器を実現できるものである一定周波数でのパワー調整が可能になり、隣り合った誘導加熱調理器の駆動周波数の違いによる干渉音の発生を抑えることが可能になり、騒音の少ない誘導加熱調理器を実現できるものである。
【００４８】
（実施例７）
本発明の第７の実施例について図面を参照しながら説明する。本実施例は請求項７に係わる。
【００４９】
図９は本実施例の回路構成を示す図である。本実施例で用いる回路構成が実施例１と異なる点は鍋の種類を判別する鍋判別手段１３と、鍋判別手段１３で判別された鍋の種類に応じて、共振コンデンサ７の容量を切り替える切り替え手段１２を有している点である。
【００５０】
上記構成における動作について説明する。鍋８が磁性ステンレスや鉄の場合には共振電流の周波数は従来例と同じく駆動周波数より低いことが望まれる。これは高周波電流を流した場合に、加熱コイル６で発生する損失が表皮効果のため増加するためで、鍋８が鉄などの場合を駆動周波数での固有抵抗で十分鍋を発熱させることが可能である。一方、鍋８がアルミ鍋や多層鍋の場合は、実施例１で述べたように駆動周波数に比べ数倍の共振電流を流す必要がある。そのため、鍋の材質により、共振電流の周波数を替えてやり、鍋８に応じた共振電流を作ることが効果的である。また、この方式の場合は従来のアルミ鍋加熱で行っていた加熱コイル６の切り替えがいらないことになる。なお、鍋８が鉄鍋などの場合は共振周波数が低くなることから共振コンデンサ７の値は大きくなり、アルミ鍋の場合は共振コンデンサ７の値は小さくなることになる。図１０は、鍋が変わった場合の動作波形を示している。鍋の種類に応じて最適な共振コンデンサ７を選択することで、最も有効な共振電流を選択することができる。ここで、鍋判別手段１３は、鍋の加熱コイル６からみたインピーダンスや共振電流の周波数の変化などから検出するなど様々な方式が考えられる。
【００５１】
以上の様に本実施例によれば、一種類の加熱コイルで様々な鍋を有効に加熱することが可能になり、従来のアルミ鍋加熱兼用の誘導加熱調理器に比べ小型の誘導加熱調理器を実現するものである。
【００５２】
（実施例８）
本発明の第８の実施例について図面を参照しながら説明する。
【００５３】
図１１は本実施例の回路構成を示す図である。本実施例で用いる回路構成が実施例１と異なる点は鍋の重量を検出する鍋重量判別手段１４と、鍋判別手段１４で検出された鍋の重量に応じて、共振コンデンサ７の容量を切り替える切り替え手段１２を有している点である。
【００５４】
上記構成における動作について説明する。鍋８がアルミ鍋の場合には鍋で生じる逆位相の磁界と加熱コイル６からの磁界から反発力が生じこれに鍋自体の軽さの要素が加わって鍋浮き現象が生じる。これには図４に示すように加熱コイル６へ供給される高周波磁界の周波数を上げて浮力が減少させる方式が有効である。しかし、共振電流の周波数を上げることは加熱コイル６の損失を増加させることにつながる。そこで、鍋重量判別手段１４により鍋の重量を検出し、一定以下の重量になった場合のみ、切り替え手段１２により共振コンデンサ７の容量を替え、共振電流の周波数を上げてやり、鍋浮きを防止することが有効である。ここで、鍋重量判別手段は、重量センサや鍋浮きの瞬間の検出など様々な方式が考えられる。
【００５５】
以上の様に本実施例によれば、鍋の重量が軽い時に発生する鍋が浮き上がる現象を抑えることが可能になり、安全性の高い誘導加熱調理器を実現するものである。
【００５６】
【発明の効果】
上記実施例からも明らかなように、請求項１の発明によれば、スイッチング素子４のスイッチング損失を増加させずに高周波電力を鍋８に供給することが可能になり、アルミ鍋やアルミ材質が鍋底部の厚みの内多くの成分をしめる多層鍋の加熱が可能な誘導加熱調理器を実現できるものである。
【００５７】
また、請求項２の本発明によれば、アルミ鍋などの重量が軽い場合でも鍋浮きが生じにくくなり、安全性の高い誘導加熱調理器を実現できるものである。
【００５８】
また、請求項３の本発明によれば、確実に必要な共振電流の個数でしかも零電流でのスイッチング動作が可能になり、スイッチング損失の少ない信頼性の高い誘導加熱調理器を実現できるものである。
【００５９】
また、請求項４の本発明によれば、共振電流の個数を維持したままパワー調整が可能となり、制御性に優れた誘導加熱調理器を実現できるものである。
【００６０】
また、請求項５の本発明によれば、パワー調整の範囲が広くなり、制御性の優れた誘導加熱調理器を実現できるものである。
【００６１】
また、請求項６の本発明によれば、一定周波数でのパワー調整が可能になり、隣り合った誘導加熱調理器の駆動周波数の違いによる干渉音の発生を抑えることが可能になり、騒音の少ない誘導加熱調理器を実現できるものである一定周波数でのパワー調整が可能になり、隣り合った誘導加熱調理器の駆動周波数の違いによる干渉音の発生を抑えることが可能になり、騒音の少ない誘導加熱調理器を実現できるものである。
【００６２】
また、請求項７の本発明によれば、一種類の加熱コイルで様々な鍋を有効に加熱することが可能になり、従来のアルミ鍋加熱兼用の誘導加熱調理器に比べ小型の誘導加熱調理器を実現するものである。
【図面の簡単な説明】
【図１】  本発明の第１の実施例の誘導加熱調理器の回路構成を示す図
【図２】  本発明の第１の実施例の誘導加熱調理器の各部の動作を示す波形図
【図３】  本発明の第２の実施例の誘導加熱調理器の各部の動作を示す波形図
【図４】  本発明の第２の実施例の特性を示す図
【図５】  本発明の第３の実施例の誘導加熱調理器の回路構成を示す図
【図６】  （ａ）本発明の第４の実施例の誘導加熱調理器の入力電力が大きい場合の各部の動作を示す波形図
（ｂ）本発明の第４の実施例の誘導加熱調理器の入力電力が小さい場合の各部の動作を示す波形図
【図７】  （ａ）本発明の第５の実施例の誘導加熱調理器の入力電力が大きい場合の各部の動作を示す波形図
（ｂ）本発明の第５の実施例の誘導加熱調理器の入力電力が小さい場合の各部の動作を示す波形図
【図８】  （ａ）本発明の第６の実施例の誘導加熱調理器の入力電力が大きい場合の各部の動作を示す波形図
（ｂ）本発明の第６の実施例の誘導加熱調理器の入力電力が小さい場合の各部の動作を示す波形図
【図９】  本発明の第７の実施例の誘導加熱調理器の回路構成を示す図
【図１０】  （ａ）本発明の第７の実施例の誘導加熱調理器の第一の鍋を用いた場合の各部の動作を示す波形図
（ｂ）本発明の第７の実施例の誘導加熱調理器の第二の鍋を用いた場合の各部の動作を示す波形図
【図１１】  本発明の第８の実施例の誘導加熱調理器の回路構成を示す図
【図１２】  従来の誘導加熱調理器の各部波形を示す図
【図１３】  従来の誘導加熱調理器の回路構成の例を示す図
【符号の説明】
１      電源
２      平滑コンデンサ
３      チョークコイル
４      スイッチング素子
５      ダイオード
６      加熱コイル
７      共振コンデンサ
８      鍋
９      制御手段
１０    零電流検知手段
１１    カウンタ
１２    切り替え手段
１３    鍋判別中断手段
１４    鍋重量判別手段
１５    制御手段
【図１】
0004345151.tif 000002
【図２】
0004345151.tif 000003
【図３】
0004345151.tif 000004
【図４】
0004345151.tif 000005
【図５】
0004345151.tif 000006
【図６】
0004345151.tif 000007
【図７】
0004345151.tif 000008
【図８】
0004345151.tif 000009
【図９】
0004345151.tif 000010
【図１０】
0004345151.tif 000011
【図１１】
0004345151.tif 000012
【図１２】
0004345151.tif 000013
【図１３】
0004345151.tif 000014